(57)【要約】【課題】電力系統の監視制御に関する操作を円滑に行うことができる電力系統監視制御装置を提供するものである。【解決手段】実施形態の電力系統監視制御装置は、装着物に取り付けられた第１のＩＣタグのタグ情報を取得するタグ情報取得部と、前記タグ情報取得部により取得された前記第１のＩＣタグのタグ情報に対応する電力系統の系統図データを取得する演算処理部と、前記演算処理部により取得された前記系統図データを表示する表示部とを有する。【選択図】図１
2014157512.tif 000002
【特許請求の範囲】
【請求項１】
電力系統に設置された電気機器の監視制御を行う電力系統監視制御装置において、
装着物に取り付けられた第１のＩＣタグのタグ情報を取得するタグ情報取得部と、
前記タグ情報取得部により取得された前記第１のＩＣタグのタグ情報に対応する電力系統の系統図データを取得する演算処理部と、
前記演算処理部により取得された前記系統図データを表示する表示部と
を有する電力系統監視制御装置。
【請求項２】
前記タグ情報取得部は、前記装着物に取り付けられた第２のＩＣタグのタグ情報を取得し、
前記演算処理部は、前記タグ情報取得部により取得された前記第２のＩＣタグのタグ情報に対応する、前記電気機器の機器状態を表す機器状態データを取得し、
前記機器状態データに基づき、機器状態データが格納される監視制御データベースを更新する請求項１に記載の電力系統監視制御装置。
【請求項３】
前記タグ情報取得部が、前記第２のＩＣタグのタグ情報を取得した場合に振動する振動部を有する請求項１または請求項２に記載の電力系統監視制御装置。
【請求項４】
前記演算処理部は、前記タグ情報取得部が前記第２のＩＣタグのタグ情報を取得した場合に、前記第２のＩＣタグのタグ情報に対応した色情報を取得し、
前記色情報に対応した色を前記表示部に表示させる請求項１乃至請求項３のいずれか１項に記載の電力系統監視制御装置。
【発明の詳細な説明】
【技術分野】
【０００１】
本発明の実施形態は、電力系統監視制御装置に関する。
【背景技術】
【０００２】
従来の電力系統監視制御装置では、操作者は系統図等の監視制御に関する情報が表示されるモニターを見ながら、マウスやキーボード、ボタンによって電力系統の監視制御に関する操作を行う。
【０００３】
しかし、モニターは操作卓上に設置されることから大きさに制限があり、災害発生時など、複数人による系統図の確認や操作を行う場合には協調作業が円滑に行えているとは言えない。
【０００４】
また、監視制御の操作を行う制御室とは別の会議室で打合せを行う場合、資料を印刷して持ち出す必要があるため、リアルタイムで変化する情報を共有することは難しい。
【先行技術文献】
【特許文献】
【０００５】
【特許文献１】特開２０１１−６５４１４号公報
【発明の概要】
【発明が解決しようとする課題】
【０００６】
そこで、本発明の実施形態はこれらの課題を解決するために、電力系統の監視制御に関する操作を円滑に行うことができる電力系統監視制御装置を提供するものである。
【課題を解決するための手段】
【０００７】
上記課題を達成するために、実施形態の電力系統監視制御装置は、装着物に取り付けられた第１のＩＣタグのタグ情報を取得するタグ情報取得部と、前記タグ情報取得部により取得された前記第１のＩＣタグのタグ情報に対応する電力系統の系統図データを取得する演算処理部と、前記演算処理部により取得された前記系統図データを表示する表示部とを有する。
【図面の簡単な説明】
【０００８】
【図１】第１の実施形態に係る電力系統監視制御装置の構成を示すブロック図。
【図２】第１の実施形態に係る電力系統監視制御装置の機器状態ＤＢに格納されたテーブルの一例。
【図３】第１の実施形態に係る電力系統監視制御装置の系統図ＤＢに格納されたテーブルの一例。
【図４】第１の実施形態に係る電力系統監視制御装置の監視制御ＤＢに格納されたテーブルの一例。
【図５】第１の実施形態に係る電力系統監視制御装置の動作を示すフローチャート。
【図６】第１の実施形態に係る電力系統監視制御装置の動作を示すフローチャート。
【図７】第１の実施形態に係る電力系統監視制御装置の装着物の一例。
【図８】第１の実施形態に係る電力系統監視制御装置の表示部の一例。
【図９】第２の実施形態に係る電力系統監視制御装置の構成を示すブロック図。
【図１０】第３の実施形態に係る電力系統監視制御装置の構成を示すブロック図。
【図１１】第３の実施形態に係る電力系統監視制御装置の色情報ＤＢに格納されたテーブルの一例。
【発明を実施するための形態】
【０００９】
以下、実施形態について図面を用いて説明する。
【００１０】
（第１の実施形態）
図１は、第１の実施形態に係る電力系統監視制御装置の構成を示すブロック図である。
【００１１】
電力系統監視制御システム１は、操作テーブル１０、系統盤サーバ２０、監視制御サーバ３０、および系統監視盤４０を有する。
【００１２】
操作テーブル１０、系統盤サーバ２０、監視制御サーバ３０、および系統監視盤４０は、それぞれＬＡＮ（ローカルエリアネットワーク）５０を介して接続される。
【００１３】
操作テーブル１０は、タグ情報取得部１１、タッチセンサ１２、表示部１３、演算処理部１４、表示データ記憶部１５、系統図データ記憶部１６、監視制御データ記憶部１７を有する。
【００１４】
タグ情報取得部１１は、ＩＣタグ６０が接触した場合にＩＣタグ６０により発信されるタグ情報を取得する手段であり、例えばセンサが挙げられる。
【００１５】
装着物６１に取り付けられたＩＣタグ６０は、固有のタグ情報を内部に記憶しており、タグ情報を発信する。
【００１６】
装着物６１は一例としてシリコン製であり、キーボードやマウス、ボタン等を模擬した形状である。
【００１７】
タッチセンサ１２は、操作者による操作面への接触に伴う静電容量や接触圧力の変化を感知し、得られた入力位置情報に基づいて操作指示を受け付ける入力手段である。
【００１８】
表示部１３は、液晶ディスプレイ、有機ＥＬ（Ｅｌｅｃｔｒｏ  Ｌｕｍｉｎｅｓｃｅｎｃｅ）ディスプレイ、プラズマディスプレイなどのモニターであり、音を発する機能を備えていてもよい。
【００１９】
演算処理部１４は、表示データ記憶部１５、系統図データ記憶部１６、あるいは監視制御データ記憶部１７に格納された各プログラムを読み出し、演算処理を行うＣＰＵ（Ｃｅｎｔｒａｌ  Ｐｒｏｃｅｓｓｉｎｇ  Ｕｎｉｔ）などのプロセッサである。演算処理部１４は、機能に応じて複数備えていてもよい。また、内臓メモリを備えていてもよい。
【００２０】
系統図データ記憶部１６、監視制御データ記憶部１７、表示データ記憶部１５は、ハードディスクドライブ（ＨＤＤ）などの不揮発性の記憶装置、記憶手段である。この他、不揮発性の記憶手段に限られることなくフラッシュメモリなどの半導体メモリを利用してもよいし、半導体メモリとＨＤＤとを組み合せた形態の記憶媒体であってもよい。
【００２１】
系統図データ記憶部１６には、演算処理部４２から取得した系統図の画像データが格納される。
【００２２】
監視制御データ記憶部１７には、機器状態ＤＢ（Ｄａｔａ  Ｂａｓｅ：データベース）１８が格納され、機器状態ＤＢ１８には、図２に示すようにＩＣタグ６０のタグ情報、タグ情報に対応した機器状態データが関連付けられ格納される。ここで、機器状態データとは電気機器の状態を表すデータであり、例えば開閉器の投入（入）状態や遮断（切）状態が挙げられる。
【００２３】
また、監視制御データ記憶部１７には、監視制御ＤＢ３１から取得した各電気機器の機器状態データが格納される。
【００２４】
表示データ記憶部１５は、系統図の画像データのうち、操作者により拡大、縮小、色付けといった加工がなされた画像データが格納される。
【００２５】
また、系統図データ記憶部１６、監視制御データ記憶部１７、表示データ記憶部１５には、演算処理部１４での処理に必要な各プログラムが格納される。
【００２６】
系統盤サーバ２０は、系統図ＤＢ２１を有する。
【００２７】
系統図ＤＢ２１には、例えば図３に示すように、ＩＣタグ６０のタグ情報と、そのタグ情報に対応した電気所の系統図データが関連付けられて格納される。
【００２８】
監視制御サーバ３０は、監視制御ＤＢ３１を有する。
【００２９】
監視制御ＤＢ３１には、例えば図４に示すように、ＩＣタグ６０のタグ情報、タグ情報に対応した電気所、電気所内の電気機器、電気機器の機器状態データが関連付けられて格納される。図４では、電気機器として開閉器のみを記載しているが断路器など他の電気機器が含まれていてもよい。
【００３０】
系統監視盤４０は、複数の表示器４１ａ〜４１ｈ、演算処理部４２を有する。
【００３１】
表示器４１は、液晶ディスプレイ、有機ＥＬディスプレイ、プラズマディスプレイなどのモニターである。
【００３２】
演算処理部４２は、演算処理を行うＣＰＵなどのプロセッサである。
【００３３】
次に各構成要素の作用について、図５、図６を用いて説明する。図５、図６は第１の実施形態に係る電力系統監視制御装置の動作を示すフローチャートである。
【００３４】
一例として、操作者により図７に示すような装着物６１が操作テーブル１０上に置かれた場合の動作について図５を用いて説明する。図７（ａ）は装着物６１の一方の面を示し、図７（ｂ）は装着物６１の他方の面を示している。図７に示すように装着物６１は、開閉器操作ボタンを模擬した形状をしており、一方の面には電気所Ａにおける開閉器の投入（入）や遮断（切）を操作するボタンが設けられ、他方の面にはＩＣタグ６０ａが取り付けられる。また、他方の面には投入（入）ボタンに対応し、図２に示すタグ情報「０１」が内部に記憶されたＩＣタグ６０ｂ、遮断（切）ボタンに対応し、図２に示すタグ情報「０２」が内部に記憶されたＩＣタグ６０ｃが取り付けられている。
【００３５】
装着物６１が操作テーブル１０上に置かれると、ＩＣタグ６０ａが操作テーブル１０のタグ情報取得部１１と接触し、投入（入）ボタンが押されると、ＩＣタグ６０ｂがタグ情報取得部１１と接触するように構成される。同様に、遮断（切）ボタンが押されると、ＩＣタグ６０ｃがタグ情報取得部１１と接触する。
【００３６】
タグ情報取得部１１は、装着物６１に取り付けられたＩＣタグ６０ａが接触した場合に、ＩＣタグ６０ａにより発信されるタグ情報を取得する（ステップＳ１０１）。
【００３７】
演算処理部１４は、タグ情報取得部１１によりタグ情報が取得されると、タグ情報に対応する系統図データの要求信号を演算処理部４２に発信する（ステップＳ１０２）。
【００３８】
演算処理部４２は、演算処理部１４からの要求信号を取得すると、系統図ＤＢ２１からタグ情報に対応する系統図データを取得し、演算処理部１４に送る（ステップＳ１０３）。
【００３９】
具体的には、タグ情報取得部１１により、ＩＣタグ６０のタグ情報「１」が取得され、図２に示したような系統図ＤＢ２１である場合、演算部４２は、系統図ＤＢ２１からタグ情報「１」に対応する系統図データ「電気所Ａ」を取得し、演算処理部１４に送る。
【００４０】
演算処理部４２は、系統図ＤＢ２１から取得した、タグ情報に対応する系統図データを表示器４１に表示してもよい。
【００４１】
演算処理部１４は、演算処理部４２から系統図データを取得すると、取得した系統図データを系統図データ記憶部１６に記憶するとともに、表示部１３に表示する（ステップＳ１０４）。
【００４２】
表示部１３の一例を図８に示す。上述した動作により、操作者が電気所Ａの開閉器の操作ボタンを模擬した装着物６１を操作テーブル１０に置くと、装着物６１に取り付けられたＩＣタグ６０ａのタグ情報「１」に対応した系統図データ「電気所Ａ」が表示される。図７に示すように電気所Ａを含む周辺の系統図も表示させ、電気所Ａを点線で囲むなどの形で表示させてもよい。
【００４３】
次に、操作者により開閉器の操作ボタンを模擬した装着物６１の操作が行われた場合の動作について図６を用いて説明する。
【００４４】
例として、操作者がタッチセンサ１２等により電気所Ａの開閉器「１」を選択し、装着物６１の遮断（切）ボタンを操作した場合を想定する。
【００４５】
タグ情報取得部１１は、装着物６１に取り付けられたＩＣタグ６０ｃが接触した場合に、ＩＣタグ６０ｃにより発信されるタグ情報を取得する（ステップＳ２０１）。
【００４６】
演算処理部１４は、タグ情報取得部１１によりタグ情報が取得されると、タグ情報に対応する機器状態データを機器状態ＤＢ１８から取得する（ステップＳ２０２）。
【００４７】
具体的には、ＩＣタグ６０ｃのタグ情報が「０２」である場合、図２より機器状態データ「切」が取得される。
【００４８】
演算処理部１４は、機器状態ＤＢ１８から取得した機器状態データに基づき監視制御ＤＢ３１を更新し、更新した監視制御ＤＢ３１の情報を監視制御データ記憶部１７に記憶する（ステップＳ２０３）。
【００４９】
上記の例のように機器状態データ「切」が取得された場合、図４に示す監視制御ＤＢ３１において、変電所Ａの開閉器「１」の機器状態データが「入」から「切」に更新される。
【００５０】
系統盤サーバ２０と監視制御サーバ３０はＬＡＮ５０を介して接続されているため、監視制御ＤＢ３１の更新に伴い、系統図ＤＢ２１内の系統図データも更新される。
【００５１】
以上説明したように、この第１の実施形態に係る電力系統監視制御装置によれば、ＩＣタグ６０を取り付けた装着物６１を操作テーブル１０上に置くと、ＩＣタグ６０のタグ情報に対応した系統図データを自動的に表示させることができる。
【００５２】
そのため、電力系統の監視制御に関する操作を円滑に行うことができる。
【００５３】
また、装着物６１をボタンを模擬した形状とすることで、タッチセンサ１２による操作だけでなく、ボタンによる従来の操作感を踏襲した操作が可能となり、誤作動防止に繋がる。
【００５４】
さらに、操作テーブル１０自体が表示部１３を有することで、別途モニターを設ける必要がなく、操作者の視野が広がり、より電力系統の監視制御に関する操作を円滑に行うことができる。
【００５５】
（第２の実施形態）
第２の実施形態の構成について、図面を用いて説明する。なお、第１の実施形態と同一部分は同一符号で示し、説明は省略する。
【００５６】
図９は、第２の実施形態に係る電力系統監視制御装置の構成を示すブロック図である。
【００５７】
この第２の実施形態が、第１の実施形態と異なる点はさらに振動部７０を有することにある。以下に第１の実施形態と異なる点について説明する。
【００５８】
振動部７０は、タグ情報取得部１１がＩＣタグ６０のタグ情報を取得した場合に振動する。
【００５９】
操作者が図７に示すようなボタンを模擬した装着物６１の投入（入）ボタンや遮断（切）ボタンを操作すると、ＩＣタグ６０ｂまたはＩＣタグ６０ｃがタグ情報取得部１１に接触し、タグ情報取得部１１がＩＣタグ６０ｂまたはＩＣタグ６０ｃのタグ情報を取得する。
【００６０】
第２の実施形態では、タグ情報取得部１１がＩＣタグ６０のタグ情報を取得した場合に振動部７０が振動することで、操作者はボタン操作が適切に行われたことを確認でき、第１の実施形態で得られる効果に加えて、より誤動作の防止に貢献することができる。
【００６１】
（第３の実施形態）
第３の実施形態の構成について、図面を用いて説明する。なお、第１の実施形態および第２の実施形態と同一部分は同一符号で示し、説明は省略する。
【００６２】
図１０は、第３の実施形態に係る電力系統監視制御装置の構成を示すブロック図である。
【００６３】
この第３の実施形態が、第１の実施形態および第２の実施形態と異なる点は表示データ記憶部１５に色情報ＤＢ８０が格納されることにある。以下に第１の実施形態と異なる点について説明する。
【００６４】
色情報ＤＢ８０には、図１１に示すようにタグ情報、機器状態データ、色情報が関連付けられ格納されている。
【００６５】
演算処理部１４は、タグ情報取得部１１がＩＣタグ６０のタグ情報を取得した場合に、色情報ＤＢ８０からタグ情報に対応した色情報を取得し、取得した色情報の色を表示部１３に表示させる。
【００６６】
操作者が図７に示すようなボタンを模擬した装着物６１の投入（入）ボタンや遮断（切）ボタンを操作すると、ＩＣタグ６０ｂまたはＩＣタグ６０ｃがタグ情報取得部１１に接触し、タグ情報取得部１１がＩＣタグ６０ｂまたはＩＣタグ６０ｃのタグ情報を取得する。
【００６７】
第３の実施形態では、タグ情報取得部１１がＩＣタグ６０のタグ情報を取得した場合に、演算部１４によりタグ情報に対応した色が表示部１３に表示されることで、操作者はボタン操作が適切に行われたことを確認でき、第１の実施形態で得られる効果に加えて、より誤動作の防止に貢献することができる。
【００６８】
なお、表示部１３に色を表示させるのではなく、操作者が操作した装着物６１のボタン部分の色が変化するようにしてもよく、同様の効果を得ることができる。
【００６９】
また上述した第１の実施形態乃至第３の実施形態において、表示部１３とは別にさらにモニターを設ける構成としてもよい。このように構成することで操作者の使いやすさに合わせて構成を変更することができる。
【００７０】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。例えば、第１の実施形態乃至第３の実施形態を適宜組み合わせた構成としてもよい。
【符号の説明】
【００７１】
１０…操作テーブル
１１…タグ情報取得部
１２…タッチセンサ
１３…表示部
１４，４２…演算処理部
１５…表示データ記憶部
１６…系統図データ記憶部
１７…監視制御データ記憶部
１８…機器情報ＤＢ（（Ｄａｔａ  Ｂａｓｅ：データベース））
２０…系統盤サーバ
２１…系統図ＤＢ
３０…監視制御サーバ
３１…監視制御ＤＢ
４０…系統監視盤
４１…表示器
５０…ＬＡＮ（ローカルエリアネットワーク）
６０…ＩＣタグ
６１…装着物
７０…振動部
８０…色情報ＤＢ
【図１】
2014157512.tif 000003
【図２】
2014157512.tif 000004
【図３】
2014157512.tif 000005
【図４】
2014157512.tif 000006
【図５】
2014157512.tif 000007
【図６】
2014157512.tif 000008
【図７】
2014157512.tif 000009
【図８】
2014157512.tif 000010
【図９】
2014157512.tif 000011
【図１０】
2014157512.tif 000012
【図１１】
2014157512.tif 000013